(57)【要約】  【課題】  両足に装着して歩行可能であって、かつ高さを容易に調整可能な歩行脚立（昇降式高下駄）を提供する。  【解決手段】  歩行脚立１は、人間の左右の足（靴）Ｆが載って装着される足台３と、該足台３が上下方向にスライド可能な縦長の空所12を有するフレーム２を備える。また、足台３をフレーム空所12内の異なる高さ位置で固定及び固定解除できるクラッチ機構（クラッチ爪片41・爪スリット15f・クラッチワイヤー６・クラッチハンドル５など）を備える。【選択図】  図４
2017064315.tif 000002
【特許請求の範囲】
【請求項１】
人間の左右の足の各々が上に載って装着される左右一対の足台と、
該足台が上下にスライド可能な縦長の空所を有する左右一対のフレームと、
前記足台を、前記フレームの前記空所内の異なる高さ位置で固定及び固定解除できるクラッチ機構と、
を備えることを特徴とする歩行脚立。
【請求項２】
さらに、前記足台を前記フレームに対して上方に付勢する付勢手段を備えることを特徴とする請求項１記載の歩行脚立。
【請求項３】
前記クラッチ機構が、
前記フレームの側壁に縦方向にあるピッチで形成された係止部と、
前記足台から側方に進出・引退可能なストッパー部材であって、進出時に前記係止部と係合し前記足台が前記フレームに対してスライド不能となり、引退時に前記係止部との係合が解除されて前記足台が前記フレームに対してスライド可能となるストッパー部材と、
該ストッパー部材を駆動する駆動手段と、
を備えることを特徴とする請求項１又は２記載の歩行脚立。
【発明の詳細な説明】
【技術分野】
【０００１】
本発明は、両足に装着して歩行可能であって、かつ高さを容易に調整可能な歩行脚立（昇降式高下駄）に関する。
【背景技術】
【０００２】
屋内壁のクロス張替えやハウスクリーニングなどは、手が届きにくい高いところでの作業を伴う。果樹栽培や植木の手入れなどの作業も同様である。その場合には、脚立や梯子、作業台などを使い、作業者が高い位置に立って作業を行う。しかし、脚立・梯子の上は狭く、横に作業を進めていく際には、一々脚立・梯子から降りて、脚立・梯子を横に動かし、また脚立・梯子に上らなければならず、非能率で疲れる。また、階段のような段差のある場所や、一定以上の傾斜の傾斜面には、脚長調節機能付き以外の脚立や梯子は立てられない。一方、作業台は高さが一定であり、台上が長いもの広いものは嵩張るので扱いにくい。
【発明の開示】
【発明が解決しようとする課題】
【０００３】
本発明は、脚立等における前記問題点に鑑みてなされたものであって、両足に装着して歩行可能であって、かつ高さを容易に調整可能な歩行脚立（昇降式高下駄）を提供することを目的とする。
【課題を解決するための手段】
【０００４】
本発明の歩行脚立は、  人間の左右の足の各々が上に載って装着される左右一対の足台と、  該足台が上下にスライド可能な縦長の空所を有する左右一対のフレームと、  前記足台を、前記フレームの前記空所内の異なる高さ位置で固定及び固定解除できるクラッチ機構と、  を備えることを特徴とする。
【０００５】
左右の足を、それぞれ左右の足台に載せて装着する。ここから、一方の足（例えば右足とする）に体重を載せて、他方の足（左足）の載っている足台のクラッチを外し、左足を上げる。すると、上げた左足に装着されている足台はフレーム空所内で上がり、上がったところでクラッチをかけると、フレーム空所のより高い位置で左の足台が固定される。
【０００６】
次に、上がった左足に体重を載せ替えて、他方の右足の載っている足台のクラッチを外し、右足を上げる。すると、上げた右足に装着されている右の足台はフレーム空所内で上がり、上がったところでクラッチをかけると、フレーム空所のより高い位置で右の足台が固定される。これを繰り返せば、フレーム空所内において足台を順次上昇させて、人体を高い位置に上昇させることができる。
【０００７】
そして、あたかも高さ調整可能な歩行脚立を履いた状態で、高い位置のまま、自分の足で歩くように自在に歩行できる。かつ、脚立を立てられないような階段部や斜面、狭隘部などでも、本発明の歩行脚立を用いれば、左右の足台の高さを変えることにより、高い位置での作業を行える。つまり、歩きながら任意の場所・高さで作業できる。また、フレームの底部は、靴・シューズ底の如くして、床面・階段面全体を自己の足場として使えるので、脚立や梯子の狭い天場より、安定・安全作業できる。したがって、高所作業を楽にかつ安全・安定に行うことができ、作業者の疲労軽減と作業能率向上に多いに貢献できる。
【０００８】
下がるときには、片方の足（例えば右足）の体重を一時抜いてクラッチ切った後、体重をかけて足台を下げ、所望の高さでクラッチを入れて右の足台を下げる。次いで、他方の足（例えば左足）の体重を一時抜いてクラッチを切り、左足に体重をかけて左の足台を下げる。これを繰り返せば、歩行脚立を下げる（体を下ろす）ことができる。
【０００９】
本発明の歩行脚立においては、さらに、前記足台を前記フレームに対して上方に付勢する付勢手段を備えることが好ましい。
【００１０】
足台を下げるときは足台に体重をかければよいが、上げるときは足台にフレームが引っ掛かったり摩擦で、フレームも一緒に持ち上げてしまうおそれがある。歩き易くするために、フレームはできるだけ軽くしておきたい。そこで、足台を前記フレームに対して上方に付勢する付勢手段を設け、クラッチ解除時にスムーズに足台のみを上昇しやすいようにすることが好ましい。なお、足台を下げるときは、足台に体重をかけて付勢手段の付勢力に打ち勝って足台を下げる。そのため、付勢手段の付勢力は、足台の重さと上下スライド摩擦抵抗力の合計の２倍程度が好ましい。
【００１１】
本発明の歩行脚立においては、  前記クラッチ機構が、  前記フレームの側壁に縦方向にあるピッチで形成された係止部と、  前記足台から側方に進出・引退可能なストッパー部材であって、進出時に前記係止部と係合し前記足台が前記フレームに対してスライド不能となり、引退時に前記係止部との係合が解除されて前記足台が前記フレームに対してスライド可能となるストッパー部材と、  該ストッパー部材を駆動する駆動手段と、を備えるものとできる。
【発明の効果】
【００１２】
以上の説明から明らかなように、本発明によれば、両足に装着して歩行可能であって、かつ高さを容易に調整可能な歩行脚立（昇降式高下駄）を提供できる。今の所、世界中で、このような用具は無いと思われ、本発明の歩行脚立により、高所作業能率の向上と、作業者の疲労低減の両面で、絶大な社会貢献となる。
【図面の簡単な説明】
【００１３】
【図１】本発明の実施の形態に係る歩行脚立の全体構成を示す斜視図である。
【図２】図１の歩行脚立における足台の詳細と、足台固定・解除用のクラッチ機構を示す側面図である。（Ａ）は足台が固定されている状態であり、（Ｂ）は足台の固定が解除されている状態である。
【図３】図１・２の歩行脚立における人間の足が載っている状態を示す側面である。（Ａ）は足台が最も下がった状態であり、（Ｂ）は足台が最も上がった状態である。
【図４】図１〜３の歩行脚立を左右の足に装着して、昇降動作をしている状態を作業者の後から見た背面図である。
【図５】図２の足台固定・解除用のクラッチ機構の作用を説明するための側面図である。
【符号の説明】
【００１４】
Ｆ；足、FR；右足、FL；左足、Ｌ；脚
１；歩行脚立（昇降式高下駄）、２；フレーム、３；足台
４；クラッチ爪板、５；クラッチハンドル、６；クラッチワイヤー
７；クラッチ杖、7b；クラッチ杖下部、９；ゴム紐、10；ゴムチップ（ゴム足）
11；底台、12；空所、13；右側板、13b；辺
14；切り欠き、15；後側板、15´；前側板、15d；切り欠き孔、15f；爪スリット
17；フレーム奥板、18；溝
31；底台、31b；上板、32；空所、33；端板、34；開口、35・35´；前後側板、
37；足台奥板、39；マジックバンド
41・41´；クラッチ爪片（ストッパー部材）、43・43´；ケーブルエンドセット
51；固定ハンドル、53；可動ハンドル、57；引っ張りスプリング、
59；ワイヤーケーブル
65・65´；分岐ワイヤー、67・67´；案内チューブ、
68・68´；ブッシング（段付きパイプ）、69・69´；クラッチワイヤー
91；ゴム紐、97；ゴム紐折り返しローラ、
【発明を実施するための形態】
【００１５】
以下、本発明の実施の形態について、図面を参照しながら詳細に説明する。
まず、図１を参照しつつ、本発明の実施の形態に係る歩行脚立１の全体構成を説明する。なお、使用時には、図４に示すように、左右一対で左右対称の歩行脚立１を夫々左右の足に装着するが、図１においては片方の歩行脚立１のみを示す。図中の矢印は、作業者が歩行脚立１を右足FRに履き、図に示す「前方向」を向いている作業者から見た方向である。
【００１６】
この歩行脚立１は、人間の片足Ｆが載って装着される足台３と、該足台３がスライド可能な縦長の空所12を有するフレーム２と、前記足台３を、前記フレーム２の前記空所12内の異なる高さ位置で固定及び固定解除できるクラッチ機構（図２参照、クラッチ爪板４・爪片41・爪スリット15f・クラッチワイヤー６・クラッチハンドル５など）と、を備える。
【００１７】
図１の下半分には、歩行脚立１のフレーム２が示されている。フレーム２は、縦長の空所12を有する上下に長く四角い箱状のものである（薄アルミニウム板製）。フレーム２は、上下軸直交断面では、前後に長い長方形である。フレーム２の底部は、強度のある箱状の底台11となっている。フレーム２は、鉛直方向に立ち上がって広がる４つの平面状の板である、右側板13・後側板15・前側板15´・奥（左側）板17を有する。フレーム２の上部は開口している。
【００１８】
右側板13は、その中央部が大きく切り欠きかれている（切り欠き14）。この切り欠き14は、フレーム空所12内に足（靴）Ｆを横から入れるためのものである。右側板13の前後の辺13bは、空所12の手前部において、内側に張り出しており、その内側の面が、後述する足台３の右側への抜け出しを防止している。
【００１９】
前後の側板15・15´は上下に延びる細長い長方形状の板である。前後側板15・15´の幅は、足台３の幅よりも少し広いくらいである。前後側板15・15´の左右辺は、右側板13や奥板17につながっている。
【００２０】
前後側板15・15´には、上下方向にあるピッチ（一例50mm）で、多数（一例11箇所）の爪スリット15f（クラッチ機構の係止部）が開けられている。各爪スリット15fは、前後側板15・15´の幅の３／４程度の幅で、水平に延びる溝状の切り欠きである。この爪スリット15fには、後述するクラッチ爪板４の爪片41（ストッパー部材）が入り込んで、足台３が上下方向に係止される。爪スリット15fの左右方向中央部の下側には、下辺がアール状に窪んだ略正方形の切り欠き孔15dがつながっている。この切り欠き孔15dの作用は図２を参照しつつ後述する。
【００２１】
奥板（左側板）17は、右側板13に対向しており、前後側板15・15´間をつなぐように広がっている。奥板17には、軽量化のために切り抜いた孔以外は、切り欠きや孔はないが、前後方向中央部に上下に延びる溝18が形成されている。この溝18の裏側は、四角いリブ状の凸条（図示されず）となっている。溝18には、後述するクラッチ杖７が嵌り込んで、上下にスライドする。
【００２２】
次に、図２を主に参照しつつ、足台３を説明する。足台３は、上部が開口し内部が空所32となっている、平たい四角形の箱状のものである。足台３には、図１・図３・図４に示すように、足（靴）Ｆを乗せることができる。足台３は、足（靴）Ｆの乗る丈夫な箱構造の底台31を有する。底台31の上面の右側前後には、幅の狭い前後一対の端板33が立ち上がっている。前後一対の端板33の間は開口34となっている。切り欠き34は、足（靴）Ｆを横から入れ出しするスペースである。足台３は前後の側板35・35´と奥板37も有する。
【００２３】
足台３の奥板37の外側中央部には、クラッチ杖７の下部7bが固定されている。クラッチ杖７は足台３から高く（一例で70〜80cm）立ち上がっている。クラッチ杖７は、細い箱状の構造であり、内部にクラッチワイヤー６が通っている。クラッチ杖７の頂部には、クラッチハンドル５の固定ハンドル51が固定されている。固定ハンドル51は、丸パイプ製で水平に少し延びている。
【００２４】
固定ハンドル51の下方には、固定ハンドル51よりも細い可動ハンドル53が対向して配置されている。可動ハンドル53は、クラッチ杖７の上部において、クラッチ杖７に沿って上下に移動可能である。固定ハンドル51と可動ハンドル53との間には、前後方向中央の引っ張りスプリング57と、前後一対のワイヤーケーブル59が掛け渡されている。この可動ハンドル53と固定ハンドル51を手Ｈで持って、図２（Ｂ）に示すように、固定ハンドル51に近寄らせる方向に可動ハンドル53を引けば、クラッチワイヤー６を介してクラッチ爪板４を引き、足台３のフレーム２に対する固定を解除できる。
【００２５】
クラッチワイヤー６は、可動ハンドル53への固定部61から下方に延びて前後２本の分岐ワイヤー65・65´に分かれている。そして、２本の案内チューブ67・67´の中を通って、前後に案内される。案内チューブ67・67´の前後端部は、前後側板35・35´に固定されたブッシング（段付きパイプ）68・68´に接続されている。2本のクラッチワイヤー65・65´の先端は、爪板４・４´の上部を貫通し、爪板４・４´の上部外側の爪片41・41´の根元部において、ケーブルエンドセット43・43´に接続されている。なお、図１に示すフレーム前後側板15・15´の切り欠き孔15dは、上記ケーブルエンドセット43・43´の嵌り込む孔である。
【００２６】
爪板４・４´は、底台31の上板31bの前後端部の左右中央部を上に折り曲げたものである。そして、爪板４・４´の上端は外側に折り曲げた爪片41・41´となっている。上述のように、爪片41・41´の根元部には、クラッチワイヤー69・69´が接続されており、クラッチワイヤー69・69´を内側に引くと、爪板４・４´が根元から内側に曲がる。すると、爪片41・41´が、爪スリット15fから外れる（図２（Ｂ）参照）。
【００２７】
図３は、図１・２の歩行脚立１における人間の足が載っている状態を示す側面である。（Ａ）は、足台３が最も下がった状態であり、足台３の爪片41・41´が、一番下の爪スリットに係止されている状態である。（Ｂ）は足台３が最も上がった状態であり、足台３の爪片41・41´が、一番上の爪スリットに係止されている状態である。
【００２８】
足台３には、図１に示すように、足（靴）Ｆを足台３に固定するマジックバンド39が設けられている。これにより、足Ｆで歩行脚立１を持ち上げることができ、歩行脚立１を履いたまま、自由に前後・左右に歩行可能である。
【００２９】
図１・図３に示すように、足台３の左側辺には、上方に延びる前後２本のゴム紐９が接続されている。ゴム紐９は、フレーム２の上端に配置されている折り返しローラ97に巻き掛けられている。そして、折り返しローラ97から、奥板17の裏を下方に延びて、図３に示すように、フレーム２の底に達して固定されている。このゴム紐９は、足台３をフレーム２に対して上方に付勢する付勢手段を構成するが、その作用は後述する。
【００３０】
図３に示すように、フレーム２の底面には、ゴムチップ（ゴム足）10が固定されている。このゴムチップ10により、床面とフレーム２との摩擦を高くしてスリップを防止し、安全な作業と楽な歩行を実現している。また、床面の傷付きを防止している。
【００３１】
次に、図４を参照しつつ、図１〜３の歩行脚立１を左右の足に装着して、昇降動作する動作を説明する。左足FLに左側の歩行脚立１Lを、右足FRの右側の歩行脚立１Rを、それぞれ履いている。図中符号LLは左脚、LRは右脚である。この図４では、歩行脚立１を履いた作業者は、紙面の奥側を向いている（背中を紙面の手前側に向けている）。
【００３２】
図４の状態では、左足FLに履いた歩行脚立１Lの上下位置固定クラッチを掛けた状態である。すなわち、左側のクラッチ可動ハンドル53Lを引き上げてはおらず、足台3Lは爪片41が爪スリット15fに入って係止されており、足台3Lはフレーム2Lに固定されている。そして、この左足FLに全体重Ｗを載せ、右足FRに履いた歩行脚立１Rのクラッチを外し（足台3Rを昇降可能とし）、右足FRを上げている状態である。
【００３３】
このとき、ゴム紐９がフレーム２に対して足台3Rを上に付勢しているので、足台3Rがフレーム2Rに引っ掛かってフレーム2Rごと持ち上げてしまうようなことがない。そして、上げた右足FRに装着されている足台3Rはフレーム空所内で上がり、右の足台3Rが所望の高さまで上がったところでクラッチをかけると、フレーム空所のより高い位置で右の足台3Rが固定される。
【００３４】
次に、上がった右足FRに体重を載せ替えて、左足FL側の足台3Lのクラッチを外し、左足FLを上げる。すると、上げた左足FLに装着されている左の足台3Lは、歩行脚立1Lのフレーム2Lの空所内で上がり、上がったところでクラッチをかけると、足台3Lは高い位置で固定される。これを繰り返せば、フレーム２内において足台３を順次上昇させて、人体を高い位置に上げることができる。
【００３５】
そして、あたかも高さ調整可能な歩行脚立１を履いた状態で、高い位置のまま、自分の足で歩くように自在に歩くことができる。かつ、脚立を立てられないような階段部や斜面、狭隘部などでも、高い位置での作業ができる。つまり、歩きながら任意の場所・高さで作業できる。また、フレームの底部は、靴底の如くして、床面・階段面全体を自己の足場として使えるので、脚立や梯子の狭い天場より、安定・安全作業できる。したがって、高所作業を楽にかつ安全・安定に行うことができ、作業者の疲労軽減と作業能率向上に多いに貢献できる。
【００３６】
下がるときには、片方の足の体重を一時抜いてクラッチ切り、体重かけて足台下げ。次いで他方の足の体重を一時抜いてクラッチ切り、体重かけて足台下げ、これを繰り返す。
【００３７】
足台３をフレーム２に対して上方に付勢する付勢手段としてのゴム紐９の作用・効果は次のとおりである。すなわち、足台３を下げるときは足台３に体重をかければよいが、上げるときは足台３にフレーム２が引っ掛かってフレームも一緒に持ち上げてしまうおそれがある。歩き易くするために、フレーム２はできるだけ軽くしておきたいので、軽いとわずかの引っ掛かりでフレーム２が持ち上げられてしまう。そこで、足台３をフレーム２に対して上方に付勢する付勢手段として、ゴム紐９を設けて、クラッチを解除したらスムーズに足台３をフレーム２内で上げられるようにしている。
【００３８】
本発明は上記実施形態の具体例に限定されるものではなく様々な変形形態が可能である。例えば、可動ハンドル53は、図５（Ａ）に示すように、前部を引いても、あるいは、図５（Ｂ）に示すように後部を持って引いても、引っ張り量は半分となるが手Ｈの引き力は半分でよく、クラッチワイヤー６を介してクラッチ爪板４を引き、足台３のフレーム２に対する固定を解除できる。また、手Ｈの固定ハンドル51の握り位置も、中央部・前・後と任意の位置でクラッチ爪板４を操作できる。
【００３９】
付勢手段は弾性部材（ゴムなど）からなる紐以外にも、金属製スプリングなどを用いることができる。
【図１】
2017064315.tif 000003
【図２】
2017064315.tif 000004
【図３】
2017064315.tif 000005
【図４】
2017064315.tif 000006
【図５】
2017064315.tif 000007